(57)【要約】【課題】  球体のケースを容易に分割でき、内部の計時機構の処理を行うことができる腕時計を得ること。【解決手段】  腕時計のケース２２は、球面の外壁を有する環状中空のハウジング３６と、ハウジング３６の上部の開口を塞ぐ風防３１と、ハウジング３６内に収納された計時機構４１と、ハウジング３６の下部の開口を塞ぐ下部球面体３２とを有する。風防とハウジング３６と下部球面体とが互いに接合されて、外面が球体の球面となるケース２２が構成される。下部球面体３２は上部に接合された中子３７を有し、その中子３７がハウジング３６の内側に挿入され、中子３７の係合突起３８とハウジング３６の内壁の係合溝部４３とが係合される。それにより下部球面体３２がハウジング３０の下部に取り付けられる。【選択図】      図５
2005257346.tif 000002
【特許請求の範囲】
【請求項１】
外面が１つの球体の球面となるケースを含む腕時計であって、
中空の環状を成すハウジングと、
ハウジング内の収納される計時機構と、
ハウジング上部の開口を塞ぐ風防と、
ハウジング下部の開口を塞ぐ下部球面体と、
を備え、
風防とハウジングと下部球面体によって、外面が球体の球面となるケースが構成され、
下部球面体の上部に接合された中子部がハウジングの内側に挿入されて、中子部の係合突起とハウジングの内壁の係合溝部とが凹凸係合することによって、
下部球面体がハウジングの下部に取り付けられるケースを含む腕時計。
【請求項２】
請求項１に記載の腕時計であって、
下部球面体が、中子が接合される中間蓋と、中間蓋の下方に接合される球面基部とに上下に分割される腕時計。
【請求項３】
請求項２に記載の腕時計であって、
中間蓋の下面と球面基部の上面のうち、一方に凸部が形成され、他方に凸部と相補する形状である凹部が形成され、
凸部が凹部内に挿入される腕時計。
【請求項４】
請求項２から３のいずれかに記載の腕時計であって、
中間蓋と球面基部とがロー付けで接合される腕時計。
【請求項５】
請求項２から４のいずれかに記載の腕時計であって、
球面基部が上方に開口する凹部を備え、
この凹部が中間蓋で塞がれることにより中空部が形成された腕時計。
【請求項６】
請求項１から５のいずれかに記載の腕時計であって、
可撓性を備える２本の線状体がハウジングに接合され、
それぞれの線状体に複数の球状の装飾玉が挿通されて、それぞれが連珠状バンドとなる腕時計。
【請求項７】
請求項６に記載の腕時計であって、
ケースとバンドの装飾玉とが、ほぼ同一直径を有する球体を成す腕時計。
【請求項８】
請求項６、あるいは７のいずれかに記載の腕時計であって、
一方のバンドの開放端にナス環が連結され、
他方のバンドにおける装飾玉と装飾玉との間に露出する線状体にナス環が係止される腕時計。
【発明の詳細な説明】
【技術分野】
【０００１】
本発明は、腕時計、特に外面が１つの球体の球面となるケースを含む腕時計に関する。
【背景技術】
【０００２】
腕時計において、外面が１つの球体の球面となるケースは、すでに知られている（たとえば、特許文献１参照）。
そのケースの構造は、図１２、および図１３に示される。図１２は従来の腕時計の分解切断側面図、そして図１３はその切断側面図である。
【０００３】
これらの図によれば、ケース１は、上方に開口する凹部２を備えたハウジング３と、ハウジング３の上部の開口を塞ぐ風防４と、ハウジングの下部に固定される下部球面体５を備える。ハウジング３の凹部の中には、ムーブメント、文字板、針、さらにリューズやプッシュボタンなどの操作機構を含む計時機構６が収納される。計時機構６が収納されたハウジング３は、接合される風防によって凹部の開口が塞がれて密閉される。
このハウジング３の下部に、下方に突出する凸部７が形成される。凸部７には、水平方向（図における左右方向）に、貫通孔８が穿設されている。
他方、下部球面体５の上面には、この凸部７が挿入される凹部１０が凹設される。下部球面体５の外面から、水平方向に沿って凹部を貫くように、有底の挿入孔１１が穿設される。
【０００４】
ハウジング３の下部に下部球面体５が固定される。そのために、ハウジングの凸部７が下部球面体５の凹部１０内に挿入されるように、両者が重ね合わさられる。そして、棒状の固定部材１２が、下部球面体５の挿入孔１１に外方から挿入される。すると、固定部材１２がハウジング３の凸部７の貫通孔８に挿通されて、図１３に示すようにハウジング３と下部球面体５とが離間しないように固定される。
このように組み合わされた風防４とハウジング３と下部球面体５とで、外面が球体の球面となる球状ケース１が構成される。
【０００５】
【特許文献１】実開昭５２−７１５６８号公報（第１〜３頁、第１〜４図）
【発明の開示】
【発明が解決しようとする課題】
【０００６】
しかしながら、前述した球面ケース１においては、ハウジング３と下部球面体５とを固定する構造が、あまりにも複雑すぎる。このような構造では、隙間、ズレ、あるいはガタツキが無いように、ハウジング３と下部球面体５とを組み合わせることが困難である。これを達成するためには、ハウジング３の凸部７、凸部の貫通孔８、下部球面体５の凹部１０、挿入孔１１、および固定部材１２など、多くの部品の寸法、およびそれら部品の互いの位置関係に、かなり厳密な精度が要求される。よって、このような構造では、製造が困難であり、たとえ製造できたとしても製造費用が高くなってしまう。
そればかりか、下部球面体５を傷つけないように、下部球面体に固定部材１２を挿入しなければならず、ケースの組み立ても難しい。よって、組み立て費用も高くならざるを得ない。
【０００７】
また、前述した球面ケースにおいては、風防４がハウジング３に接合されてハウジングが密閉されてしまうため、風防とハウジングとを分解することができない。よって、風防４やハウジング３を破壊しない限り、ハウジング内部に収納されたムーブメントの修理が
できなかった。特に、クオーツ式ムーブメントの場合、ムーブメントの電池交換ができなかった。
【０００８】
本発明は、上述の欠点を解消するものであり、その目的は以下の通りである。
（１）本発明の第１の目的は、簡単な構造で、容易に製造組み立てできる、外面が１つの球体の球面となるケースを含む腕時計を提供することである。
（２）本発明の第２の目的は、ムーブメントの修理や電池交換ができる、外面が１つの球体の球面となるケースを含む腕時計を提供することである。
【課題を解決するための手段】
【０００９】
上記目的を達成するため、本発明の腕時計は、請求項１に記載された通り、
「外面が１つの球体の球面となるケースを含む腕時計であって、
中空の環状を成すハウジングと、
ハウジング内の収納される計時機構と、
ハウジング上部の開口を塞ぐ風防と、
ハウジング下部の開口を塞ぐ下部球面体と、
を備え、
風防とハウジングと下部球面体によって、外面が球体の球面となるケースが構成され、
下部球面体の上部に接合された中子部がハウジングの内側に挿入されて、中子部の係合突起とハウジングの内壁の係合溝部とが凹凸係合することによって、
下部球面体がハウジングの下部に取り付けられるケースを含む」ものである。
【００１０】
すなわち、本発明の腕時計においては、下部球面体の中子をハウジングの内側に挿入するだけで、中子の係合突起とハウジングの内壁の係合溝部とが凹凸係合して、ハウジングに下部球面体が取り付けられる。
このように、本発明における球状ケースは、極めて簡単な構造であるため、容易に製造される。かつ、本発明の球状ケースは、極めて容易に組み立てられる。
【００１１】
ハウジングに収納される計時機構は、ムーブメント、文字板、針、さらにリューズやプッシュボタンなどの操作機構を含む。ムーブメントはデジタルであっても、アナログであっても良い。
そして、本発明の腕時計においては、ハウジングと下部球面体とを離間させる外力を加えれば、中子とハウジングとの凹凸係合が解除されて、ハウジングと下部球面体とが分離する。このように、ハウジングから下部球面体を取り外せば、ムーブメントの修理や電池交換ができる。
【００１２】
下部球面体の上部に環状の中子を接合するには、どのような接合方法が採用されてもかまわない。たとえば、溶接やロー付けで、中子は下部球面体に接合される。
下部球面体の上部には、中子を下部球面体に対して正確に位置決めするために、中子が挿入される接合用凹部が形成されることが好ましい。また、下部球面体に中子を接合するとき、下部球面体が転動しないように、下部球面体を安定して載置できる冶具を用意することが好ましい。
【００１３】
ハウジングと下部球面体との間の防水は、下部球面体の上部に、詳しくは中子の周囲に環状のパッキン溝を形成し、このパッキン溝にパッキンを配置して、ハウジングと下部球面体との間でパッキンを圧縮させれば達成される。
ハウジングの上部に風防を取り付けるには、公知の手法が採用される。たとえば、接着やパッキンを介した固定によって、風防は水密にハウジングに取り付けられる。この風防は、たとえば合成樹脂であっても、ガラスであっても良い。
【００１４】
ハウジングと下部球面体との分離をさらに容易にするためには、ハウジングと下部球面体との間に、工具が挿入できる工具挿入溝を設けることが好ましい。この工具挿入溝は、ハウジングと下部球面体との境界であって、ハウジングと下部球面体との少なくともいずれか一方に、外方に開口するように設けられる。すなわち、ハウジング下部の外縁、あるいは下部球面体上部の外縁のうち、少なくともいずれかに一方に、この工具挿入溝は形成される。
【００１５】
また、本発明の腕時計は、
「下部球面体が、中子が接合される中間蓋と、中間蓋の下方に接合される球面基部とに上下に分割される」ものであってもよい。
【００１６】
このように、下部球面体の上部を中間蓋として分離したので、中間蓋の形状を、下面に球面を備えない形状、たとえば平らな円板形状にできる利点がある。
前述したように、下部球面体の上部には中子が接合されなければならない。また、前述のように、下部球面体の上部には、接合用凹部やパッキン溝が切削されることが好ましい。また、下部球面体の上部には、工具挿入溝が切削されることもある。
このように、下部球面体の上部には様々な加工が施されるが、その反面、下部球面体のように球面を備える部品は、作業時に転動しないように安定して載置したり、切削機械などへチャックしたりすることが比較的難しい。
【００１７】
このため、様々な加工が施される下部球面体の上部を中間蓋として分離すれば、この中間蓋は、加工を施しやすい形状、たとえば平らな円板形状であってもよいので、作業時に安定して載置されるばかりか、切削機械などへ容易にチャックされる。よって、この中間蓋には、上述の様々な加工を容易に施すことができる。
このように加工された中間蓋は、別途に製造された球面基部と接合されて、下部球面体として完成される。中間蓋と球面基部とを接合するには、どのような接合方法が採用されてもかまわないが、たとえば、溶接やロー付けで両者は接合される。
下部球面体を中間蓋と球面基部とに分離して、それぞれ別個に製造することで、部品点数は増えるが、それに勝る作業能率や加工能率の向上が得られる。
【００１８】
さらに、下部球面体を中間蓋と球面基部とに分離することで、球面基部の素材を金や銀のような柔らかい貴金属にして装飾的な価値を高めつつ、中間蓋をステンレスなどの硬い金属にすることができる。
すると、工具挿入溝に工具が挿入されても、硬い中間蓋は傷つきにくいので、ケースの美観が長期にわたり維持される。また、大きな外力が負荷されても、硬い中間蓋は撓みにくので、ケースの密閉やムーブメントの安定した保持が、長期にわたり維持される。
【００１９】
また、本発明の腕時計は、
「中間蓋の下面と球面基部の上面のうち、一方に凸部が形成され、他方に凸部と相補する形状である凹部が形成され、
凸部が凹部内に挿入される」ことが好ましい。
【００２０】
このようにすれば、中間蓋と球面基部とが容易に位置決めされるので、中間蓋と球面基部とを接合する作業が容易になる。
この場合、たとえば、中間蓋の下面に、下方に突出する円柱状の凸部が形成され、相対する球面基部の上面に、上方に開口し、かつ中間蓋の凸部と相補する形状である凹部が形成される。
あるいは、球面基部の上面に、上方に突出する円柱状の凸部が形成され、中間蓋の下面に、下方に開口し、かつ球面基部の凸部と相補する形状である凹部が形成される。
これら凸部と凹部は、それぞれ複数形成されてもかまわない。
【００２１】
また、本発明の腕時計は、
「球面基部が上方に開口する凹部を備え、この凹部が中間蓋で塞がれることにより中空部が形成された」ようにしても良い。
【００２２】
ケースにおけるハウジングと下部球面体の素材が、金、銀、プラチナ、あるいはそれらの合金などの貴金属である場合、あるいは下部球面体のみが貴金属である場合、あるいは少なくとも球面基部が貴金属である場合、球面基部に上方に開口する中空部を設ければ、ケースに用いられる貴金属の量が減るので、ケースが安価に製造される。
この場合、たとえば、球面基部の中空部が、球面基部の外面の球面と、同心の球状に凹設されても良い。また、中空部は、他の形状で凹設されても良い。
この球面基部の中空部は、球面基部と中間蓋が接合されることにより、中間蓋で塞がれることが好ましい。すると、中空部を備えようとも球面基部の強度が維持される。また、中空部に水分やゴミなどが浸入することが防止される。
【００２３】
また、本発明の腕時計は、
「可撓性を備える２本の線状体がハウジングに接合され、
それぞれの線状体に複数の球状の装飾玉が挿通されて、それぞれが連珠状バンドとなる」ものであっても良い。
【００２４】
このようにすると、球状ケースとバンドの球状の装飾玉とが連続した連珠に視認されるので、腕時計が独特の美観を呈する。
ケースに接合される線状体は、たとえば可撓性を備える金属線材、皮革、合成樹脂、あるいはゴムであっても良い。
ケースにおけるハウジングと下部球面体の素材が、金、銀、あるいはそれらの合金などの貴金属である場合、装飾玉の素材を同様の貴金属とすれば、腕時計の装飾的価値が向上する。線状体の素材をも同様の貴金属とすれば、さらに装飾的価値が向上する。
ケースと線状体とを接合するには、どのような接合方法が採用されてもかまわないが、たとえば、線状体が金属線材であるならば、溶接やロー付けで両者は接合される。
【００２５】
また、この場合、本発明の腕時計は、
「ケースとバンドの装飾玉とが、ほぼ同一直径を有する球体を成す」ものであることが好ましい。すると、腕時計は、球状ケースとバンドの球状の装飾玉との区別がつかない、お数珠のような美観を呈する。
【００２６】
また、この場合、本発明の腕時計は、
「一方のバンドの開放端にナス環が連結され、
他方のバンドにおける装飾玉と装飾玉との間に露出する線状体にナス環が係止される」ものであっても良い。
すると、腕時計の装着者は、線状体に沿って装飾玉を移動させることにより、適宜な位置に線状体を露出させる。そして、装着者は、露出する線状体にナス環を係止することにより、手首の太さに合うように、腕時計の周長を調整できる。
このように、線状体に沿って装飾玉が移動できるように、挿通された装飾玉の直径の合計より長い線状体が用いられる。
【発明の効果】
【００２７】
以上、説明したごとく、本発明は下記の効果を奏する。
（１）本発明によれば、簡単な構造で、容易に製造や組み立てできる、外面が１つの球体の球面となるケースを含む腕時計が提供される。
（２）  本発明によれば、外面が１つの球体の球面となる分割可能ケースを有し、ケース
内のムーブメントの修理や電池交換ができる腕時計が提供される。
【発明を実施するための最良の形態】
【００２８】
以下、本発明の最良の実施形態について説明するが、本発明は、これらの実施形態により何ら限定されるものではない。
【実施例１】
【００２９】
図１は本発明による腕時計の平面図、そして図２は図１の右方より本発明の腕時計を見た側面図である。
本発明による腕時計２０は、多数の球状の装飾玉２１、球状の腕時計ケース２２、およびこれら装飾玉２１とケース２２を環状に連結する線状体２３、２４とを有する。
球状の装飾玉２１は中実の銀製で、その直径を貫通する貫通孔２５を備える。
可撓性を備える線状体２３、２４は、銀より形成される。線状体２３、２４それぞれの一端は、後述のようにケース２２に固定される。これら装飾玉２１それぞれの貫通孔２５に、線状体２３、２４それぞれが挿通される。
ケース２２と装飾玉２１は、ほぼ同一直径を有する球体を成す。
【００３０】
一方の線状体２３の他端は、末端に位置する装飾玉２１ａに固定される。図１に示されるように、複数の装飾玉２１のうち、この装飾玉２１ａのみは、貫通孔の代わりに凹部を備える。この装飾玉２１ａの凹部内に、一方の線状体２３の他端が挿入される。一方の線状体２３の他端は、たとえばロー付けなどの手法により、装飾玉２１ａの凹部内に接合される。
よって、一方の線状体２３の一端と他端との間の中間部に、複数の装飾玉２１が線状体２３より抜脱しないように挿通される。それぞれの装飾玉２１が線状体２３に沿って移動できるように、挿通された装飾玉２１の直径の合計より線状体２３は長い。
【００３１】
一方の線状体２３と装飾玉２１ａの接合と同様に、他方の線状体２４の他端は、末端に位置する装飾玉２１ｂに固定される。そして、同様に他方の線状体２４の一端と他端との間の中間部に、複数の装飾玉２１が線状体２４より抜脱しないように挿通される。末端の装飾玉２１ｂは、金具２６を介してナス環２７に連結される。
【００３２】
腕時計の装着者は、線状体２３に沿って装飾玉２１を移動させることにより、適宜な位置に線状体２３を露出させる。そして、他方の線状体２４の多端に連結されたナス環２７が、腕時計装着者の腕に合わせた適当な位置で、一方の線状体２３に連結される。
よって、一対のバンドよりなる環状の連珠状バンド２８が形成される。
【００３３】
図３は本発明の実施例１による時計ケース構造を示す分解斜視図、図４はその分解切断側面図、さらに図５はその切断側面図である。
図３と図４に示すように、ケース２２は、中空の環状を成すハウジング３０を含み、このハウジング３０は、所定の球体における球面の一部を成す側壁を有する。また、ケース２２は、ハウジング３０の上面に固定される、同一の球体における球面の別の一部を成す、おおよそ半球状の風防３１を含む。さらに、ケース２２は、ハウジング３０の下面に固定される、同一の球体における球面のさらに別の一部を成す、おおよそ半球状の下部球面体３２を有する。ここで上下とは、これらの図における上下方向に準ずる。
ハウジング３０と下部球面体３２とは、銀より製造される。
【００３４】
図４に示すように、ハウジング３０の中空部分の上部には、風防３１を載置するための風防用凹部３３が形成される。ハウジング３０の中空部分の下部には、計時機構の一部であるムーブメント４１が収納されるための収納凹部３４が形成される。風防３１は、凹部３３に挿入され、凹部３３に接着される。
【００３５】
下部球面体３２の上部に、中子３７が載置される中子用凹部３５が形成される。凹部３５の外周に、周状のパッキン溝３６が形成される。
環状の中子３７が凹部３５に挿入され、凹部３５にロー付により固定される。この中子３７の外周面には、一対の係合突起３８が対向して形成される。係合突起３８は、中子３７の外周面より外方に突出する。
【００３６】
図５に示すように、パッキン３９がパッキン溝３６に挿入される。中子３７の上に、合成樹脂などより成る、弾性変形可能な環状支持枠４０が載せられる。次いで、ムーブメント４１が、環状支持枠４０の内部を通って中子３７内に挿入される。そのムーブメント４１に形成された、環状を成して外方に突出するフランジ４２が、支持枠４０上に載せられる。ムーブメント４１の上部には、計時機構の一部である文字板４９が載置される。
【００３７】
次に、中子３７が、ハウジング３０における凹部３４内部に挿入される。中子３７の係合突起３８が、ハウジング３０の内壁の係合溝４３に挿入されて機械的に係合する。よって、下部球面体３２とハウジング３０が一体化される。風防３１、ハウジング３０、および下部球面体３２とで、計時機構であるムーブメント４１と文字板４とを収納する、球状のケース２２が形成される。
この係合状態では、ムーブメント４１の上部に載置された文字板４９が、ハウジング３０の環状突起４４の下面に接し、ムーブメント４１は支持枠４０により弾性的に支持される。
【００３８】
ハウジング３０の外周に、一対の連結凹部４８が対向して形成される。この凹部４８内部に、可撓性材よりなる線状体２３、２４それぞれの一端が挿入される。線状体２３、２４それぞれの一端は、ロー付けにより、凹部４８内に接合される。よって、バンド２８がケース２２に連結される。
【００３９】
図６は、図５とは別の位置におけるケースの断面を示す。
ハウジング３０の側壁に貫通孔４５が形成される。その貫通孔４５内に、計時機構の一部であるプッシュボタン４６が取り付けられる。プッシュボタン４６は、ムーブメント４１を操作する。プッシュボタン４６の外端面、すなわち指で押圧される頭部の外端面は、図に示されるように、ケース２２における球面を成す外面より突出しないことが、腕時計の美観を損ねないために好ましい。
【００４０】
また、下部球面体３２の上部における外周縁の一部に、ハウジング３０の下面に対向して、外方に開口する工具挿入溝４７が形成される。この溝４７内に、たとえばドライバのような工具の先端を挿入して持ち上げることにより、係合突起３８と係合溝４３との係合が外れて、ハウジング３０と下部球面体３２とが分離する。
ハウジング３０から下部球面体３２が取り外されれば、ムーブメント４１に対し、電池交換などの必要な処理を施することができるようになる。
この工具挿入溝は、ハウジング３０の下部における外周縁の一部に、下部球面体３２の上部と対向して設けられても良い。
【実施例２】
【００４１】
図７は本発明の実施例２による時計ケース構造を示す分解斜視図、図８はその分解切断側面図、図９はその切断側面図である。
図７、図８に示されるように、この実施例における構造は、下部球面体以外、実施例１と同じであるので、実施例１と同一の部品には実施例１と同一符号が付される。実施例１と同一の部品に対する説明は省略される。
【００４２】
実施例１における下部球面体３２は、実施例２では、下部に位置する球面基部５１と、上部に位置する中間蓋５２とに分割される。
球面基部５１は、おおよそ半球状を成し、その上面に円形の凹部５３を有する。
中間蓋５２は、皿形状に形成され、その下部に凹部５３に嵌合する凸部５４を有する。中間蓋５２は、実施例１における下部球面体３２の上部に備えられる構成、たとえば中子用凹部、パッキン溝、あるいは工具挿入溝を同じく備える。
【００４３】
実施例１における中子３７は、中間蓋５２の中子用凹部５５にロー付けされる。
中間蓋５２の凸部５４は、球面基部５１の凹部５３に挿入される。凸部５４と凹部５３とはロー付けされる。
図９に示すように、中間蓋５２のパッキン溝５６にパッキン３９が挿入され、中子３７の上に環状支持枠４０が載せられる。次にムーブメント４１が中子３７内に挿入される。ムーブメント４１のフランジ４２が支持枠４０上に載せられる。次いで、ムーブメント４１が凹部３４に挿入され、中子３７が凹部３４に挿入される。中子３７の係合突起３８がハウジング３０の内壁の係合溝４３に係合して、下部球面体３２とハウジング３０とが一体化する。他の部分の係合は実施例１と同じである。
【実施例３】
【００４４】
図１０は実施例３による腕時計の分解断面図、図１１はその切断面図である。
本実施例は実施例２と略同じ構造で、相異する点は球面基部５１に半球状の凹部５８が形成されていることである。
この凹部５８により図１１に示すように中間蓋５２と接合した時、中空部５８ａが形成される。この中空部５８ａにより時計本体が軽量となり、また銀材料も節約される。
【図面の簡単な説明】
【００４５】
【図１】本発明による腕時計の平面図である。
【図２】本発明の図１の右方より見た側面図である。
【図３】本発明の実施例１による時計ケース構造を示す分解斜視図である。
【図４】本発明の実施例１による時計ケース構造を示す分解切断側面図である。
【図５】本発明の実施例１による時計ケース構造を示す切断側面図である。
【図６】本発明の実施例１による図５とは別の位置における断面図である。
【図７】本発明の実施例２による時計ケース構造を示す分解斜視図である。
【図８】本発明の実施例２による時計ケース構造を示す分解切断側面図である。
【図９】本発明の実施例２による時計ケース構造を示す切断側面図である。
【図１０】本発明の実施例３による腕時計の分解断面図である。
【図１１】本発明の実施例３による切断面図である。
【図１２】従来の腕時計の分解切断側面図である。
【図１３】従来の腕時計の切断側面図である。
【符号の説明】
【００４６】
１  ケース
２  凹部
３  ハウジング
４  風防
５  下部球面体
６  計時機構
７  凸部
８  貫通孔
１０  凹部
１１  挿入孔
１２  固定部材
２０  腕時計
２１  装飾玉
２２  ケース
２３  線状体
２４  線状体
２５  貫通孔
２６  金具
２７  ナス環
２８  バンド
３０  ハウジング
３１  風防
３２  下部球面体
３３  凹部
３４  収納凹部
３５  凹部
３６  パッキン溝
３７  中子
３８  係合突起
３９  パッキン
４０  環状支持枠
４１  ムーブメント
４２  フランジ
４３  係合溝
４４  環状突起
４５  貫通孔
４６  プッシュボタン
４７  工具挿入溝
４８  連結凹部
４９  文字板
５１  球面基部
５２  中間蓋
５３  凹部
５４  凸部
５５  凹部
５６  パッキン溝
５８  凹部
５８ａ  中空部
【図１】
2005257346.tif 000003
【図２】
2005257346.tif 000004
【図３】
2005257346.tif 000005
【図４】
2005257346.tif 000006
【図５】
2005257346.tif 000007
【図６】
2005257346.tif 000008
【図７】
2005257346.tif 000009
【図８】
2005257346.tif 000010
【図９】
2005257346.tif 000011
【図１０】
2005257346.tif 000012
【図１１】
2005257346.tif 000013
【図１２】
2005257346.tif 000014
【図１３】
2005257346.tif 000015